(57)【要約】【課題】上カバーの吸込口本体への係止を確実に解除できる吸込口体及びこれを用いた電気掃除機を提供すること。【解決手段】吸込口体１０は、上端及び下端に上端開口１９ａ及び吸込開口１９ｂをそれぞれ有する吸込室１９が形成された吸込口本体１１と、前記吸込室１９の上端開口１９ａを開閉可能に前記吸込口本体１１に係止手段４４により係止された上カバー３７と、前記吸込口本体１１に設けられ且つ前記吸込室１９に連通する接続パイプ３３を備えている。しかも、押すことにより前記係止手段４４を操作して前記上カバー３７の前記吸込口本体１１への係止を解除する係止解除手段（ペダル４７）が前記上カバー３７又は前記吸込口本体１１に設けられていると共に、係止が解除されたときに前記上カバー３７を浮き上がらせるカバー付勢手段（コイルスプリング３５）が設けられている。【選択図】  図６
2007068835.tif 000002
【特許請求の範囲】
【請求項１】
上端及び下端に上端開口及び吸込開口をそれぞれ有する吸込室が形成された吸込口本体と、前記吸込室の上端開口を開閉可能に前記吸込口本体に係止手段により係止された上カバーと、前記吸込口本体に設けられ且つ前記吸込室に連通する接続パイプを備える吸込口体であって、
押すことにより前記係止手段を操作して前記上カバーの前記吸込口本体への係止を解除する係止解除手段が前記上カバー又は前記吸込口本体に設けられていると共に、係止が解除されたときに前記上カバーを浮き上がらせるカバー付勢手段が設けられていることを特徴とする吸込口体。
【請求項２】
請求項１に記載の吸込口体において、前記吸込口本体に上方及び前記吸込室に開放する取付凹部が形成され、前記取付凹部に回転管取付筒が上方に取外可能且つ前記上カバーで上方から押さえ付け可能に嵌合され、前記回転管取付筒に回転管を介して前記接続パイプが回動可能に取り付けられていると共に、前記上カバーの前記吸込口本体への係止が解除されたときに前記回転管取付筒を浮き上がらせる取付筒付勢手段が設けられていることを特徴とする吸込口体。
【請求項３】
請求項１又は２に記載の吸込口体において、前記吸込開口に沿う回転清掃体が前記吸込室に配設され、前記回転清掃体の長手方向両端部が前記吸込口本体と上カバーとの間で回転自在に保持されていることを特徴とする吸込口体。
【請求項４】
請求項１〜４のいずれか一つに記載の吸込口体において、前記係止解除手段は前記吸込口本体に取り付けられたペダルであることを特徴とする吸込口体。
【請求項５】
請求項１〜４のいずれか一つに記載の吸込口体を備えることを特徴とする電気掃除機。
【発明の詳細な説明】
【技術分野】
【０００１】
この発明は、電気掃除機に用いられる吸込口体及びこれを用いた電気掃除機に関するものである。
【背景技術】
【０００２】
従来の電気掃除機に用いられる吸込口体としては、左右に延び且つ上部開口及び吸込開口を上下端に有する吸込口本体と、この吸込室の上部開口を覆い且つ吸込口本体に着脱可能に取り付けられた上カバーと、吸込口本体の左右方向中央に任意の方向に傾動自在に取り付けられ且つ吸込室に連通する接続パイプを備えるものがある。
【０００３】
このような吸込口体では、吸込口本体の前縁部に係止部を設け、この係止部に係止させる係止爪を上カバーの前縁部に設けると共に、吸込口本体の後縁部と上カバーの後縁部との間にスライド式のカバー係止手段を設けることにより、上カバーを取り外すことができるようにしたものが知られている（例えば、特許文献１参照）。
【０００４】
一方、従来の吸込口体には、吸込口本体に小型吸込口体を着脱可能に取り付けると共に、足等で押圧部材を押すことにより小型吸込口体を吸込口本体から取り外すことができるようにしたものも知られている（例えば、特許文献２，３参照）。
【特許文献１】特開２０００−８３８７４号公報
【特許文献２】特開２００１−３１４３５８号公報
【特許文献３】特開２００３−３３９５８５号公報
【発明の開示】
【発明が解決しようとする課題】
【０００５】
しかしながら、従来の吸込口体では、スライド式のカバー係止手段が後縁部の左右の部分に設けられていたため、上カバーを取り外して吸込室内の清掃を行う場合の操作性が悪いものであった。
【０００６】
また、上カバーの吸込口本体への係止手段を足等で操作する押圧部材を設けて、この押圧部材を押すことにより、係止手段による上カバーの吸込口本体への係止を解除して、上カバーを吸込口本体から取り外すようにすることも考えられる。この場合、足等で押圧部材を押したときに、単に係止手段による上カバーの吸込口本体への係止を解除するのみでは、上カバーの係止を確実に解除できないことも考えられる。
【０００７】
そこで、この発明は、上カバーの吸込口本体への係止を確実に解除できる吸込口体及びこれを用いた電気掃除機を提供することを目的とするものである。
【課題を解決するための手段】
【０００８】
この目的を達成するため、この発明は、上端及び下端に上端開口及び吸込開口をそれぞれ有する吸込室が形成された吸込口本体と、前記吸込室の上端開口を開閉可能に前記吸込口本体に係止手段により係止された上カバーと、前記吸込口本体に設けられ且つ前記吸込室に連通する接続パイプを備える吸込口体であって、
押すことにより前記係止手段を操作して前記上カバーの前記吸込口本体への係止を解除する係止解除手段が前記上カバー又は前記吸込口本体に設けられていると共に、係止が解除されたときに前記上カバーを浮き上がらせるカバー付勢手段が設けられている吸込口体及びこれを用いた電気掃除機としたことを特徴とする。
【発明の効果】
【０００９】
この構成によれば、係止解除手段を押して前記係止手段を操作することにより、係止手段による前記上カバーの前記吸込口本体への係止を解除すると、上カバーがカバー付勢手段により浮き上がらせられるので、上カバーの吸込口本体への係止を確実に解除できる。
【発明を実施するための最良の形態】
【００１０】
以下、この発明の実施の形態を図面に基づいて説明する。
[構成]
図１において、１は電気掃除機の掃除機本体、２は掃除機本体１の本体ケース、３は本体ケース２の前部に設けられた集塵室、４は集塵室３内に装着された紙パックフィルタ（集塵フィルタ）、５は本体ケース２の後部内に配設され且つ集塵室３に吸込負圧を作用させる電動送風機である。
【００１１】
この本体ケース２の前端部には、紙パックフィルタ４の図示しない口枠の接続口に連通するホース接続口６が形成されている。このホース接続口６には集塵ホース７の一端部に取り付けた接続筒７ａが着脱可能に嵌着されている。しかも、接続筒７ａは紙パックフィルタ４の図示しない接続口に接続されている。
【００１２】
また、集塵ホース７の他端部には手元操作パイプ８が取り付けられ、手元操作パイプ８には延長管（延長パイプ）９を介して吸込口体１０が接続されている。
【００１３】
尚、図１において、８ａは手元操作パイプ８に設けられた操作パネルである。この操作パネル８ａには、「弱／中」吸込風量切り替え用のスイッチＳ１と、「強」吸込風量用のスイッチＳ２と、「切り」用のスイッチＳ３等が設けられている。
（吸込口体１０）
この吸込口体１０は、図１，図２に示したように、左右に延びる吸込口本体１１を有する。この吸込口本体１１は、図５に示したように左右に延び且つ左右に間隔をおいて設けられたケース取付部１２ａ，１２ｂを有する下ケース１２と、図５のケース取付部１２ａ，１２ｂに図２のように取り付けられた一対の上ケース１３，１４を有する。このケース取付部１２ａ及び上ケース１３とケース取付部１２ｂ及び上ケース１４との間には図２〜図５，図７に示したように取付凹部１１ａが形成されている。
【００１４】
この下ケース１２は、図３〜図５に示したように、前後方向の中間に設けられた中間壁１５と、この中間壁１５の左右両端部に前側に向けて突設された側壁１６，１７と、側壁１６，１７の前端部間に一体に設けられた前壁１８を有する。しかも、図５に示したように中間壁１５と側壁１６，１７及び前壁１８との間には上下端が開口する吸込室１９が形成されている。
【００１５】
図５中、１９ａは吸込室１９の上端の上端開口、１９ｂは吸込室１９の下端の吸込開口である。この吸込開口１９は、下ケース１２の底面すなわち吸込口本体１１の底面（下面）に開口している。
【００１６】
また、中間壁１５の左右方向中央部には図３〜図５に示したように上方に向けて拡開するテーパ状の切欠１５ａが形成されている。更に、側壁１６，１７には図３，図４に示したように上下に延びる軸受支持用の係合溝１６ａ，１７ａが形成されている。
【００１７】
また、図４に示したように、吸込室１９内には吸込開口１９ｂに沿って延びる回転清掃体２０が配設されている。この回転清掃体２０は、図３，図４に示したように吸込開口１９ｂに沿って延びる回転軸２１と、この回転軸２１に周方向に間隔をおいて螺旋状に突設された複数の軟質樹脂製のブレード（塵埃掻き上げ部材）２２を有する。尚、ブレード２２に変えてブラシ毛を用いることもできるし、ブレード２２とブラシ毛を組み合せて用いることもできる。
【００１８】
しかも、回転軸２１の一端部にはタイミングギヤ２３が一体に設けられていると共に、回転軸２１の両端部には図示しない軸受を介して方形状の支持板２４，２５が相対回転自在に保持されている。この支持板２４，２５は図４に示したように係合溝１６ａ，１７ａに上方から挿入係合させられている。
【００１９】
また、下ケース１２と上ケース１４との間には図３，図４に示したように駆動モータ２６が配設され、この駆動モータ２６の出力軸２６ａにはタイミングギヤ２７が一体に設けられている。そして、タイミングギヤ２３，２７には図４に示したようにタイミングベルト２８が掛け渡されている。
【００２０】
更に、図５に示したように、ケース取付部１２ａ，１２ｂは、対向端が間隔をおいて設けられた後壁１２ａ１，１２ｂ１を有すると共に、この後壁１２ａ１，１２ｂ１の対向端から前側に向けて延びる対向壁１２ａ２，１２ｂ２を有する。そして、この下ケース１２の底壁１２ｃには、対向壁１２ａ２，１２ｂ２の前端部間に位置させて左右方向に円弧状に延びる支持リブ１１ｂが切欠１５ａに対応して突設されている。また、底壁１２ｃには、支持リブ１１ｂと前壁１５との間に位置させた移動規制部２９が設けられている。
【００２１】
この移動規制部２９は、支持リブ１１ｂの左右方向中央部に沿って突設された係止片２９ａと、係止片２９ａの左右方向両端部と間隔をおいて前側に設けられ且つ互いに間隔をおいて平行に設けられた係止片２９ｂ，２９ｂを有する。
【００２２】
そして、取付凹部１１ａには軸線（中心線）を前後に向けた固定筒（取付筒）３０が配設されている。しかも、前端部及び前後方向の中間部が切欠１５ａ及び支持リブ１１ｂにそれぞれ支持されるようになっている。尚、固定筒３０の前端部は、図３，図４に示したように切欠１５ａに隙間なく係合すると共に、吸込風路３０ａが吸込室１９に開口して連通させられる。また、固定筒３０の下面には図３に示したように移動規制部２９の係止片２９ａ，２９ｂ間に係合する係合突部３０ｂが形成されている。
【００２３】
また、この固定筒３０と下ケース１２の底壁１２ｃとの間には、図５の如く底壁１２ｃに保持させた付勢手段であるコイルスプリング３１が筒体押出手段（取付筒付勢手段）として介装されている。
【００２４】
しかも、固定筒３０の後端部には回転管３２が固定筒３０の軸線（中心線）を中心に回転可能に取り付けられ、この回転管３２には接続パイプ３３が固定筒３０の軸線（中心線）と直交する軸線を中心に上下回動するように取り付けられている。この構成により接続パイプ３３は吸込口本体１１に任意の方向に傾動可能に取り付けられている。尚、この接続パイプ３３を延長管９に嵌合することにより、吸込口体１０が手元操作パイプ８に延長管９を介して接続される。
【００２５】
また、下ケース１２の中間壁１５には図３，図４，図７に示したように側壁１６側及び吸込室１９側に位置させて上方に開口する有底のバネ受収納部３４が形成されている。このバネ受収納部３４内には図９に示したようにコイルスプリング３５がカバー付勢手段として配設されている。このコイルスプリング３５の上端部にはピン３６の頭部３６ａが当接している。
【００２６】
更に、図３〜図５の吸込室１９は図１，図２に示した上カバー３７で閉成されている。この上カバー３７は、前壁１８の左右方向両端部にヒンジ３８，３８を介して開閉自在に取り付けられている。このヒンジ３８は、図６，図７に示したように前壁１８に突設した突片１８ａと、上カバー３７に突設した突片３７ａと、突片１８ａ，３７ａを回転自在に結合しているピン３９を有する。
【００２７】
しかも、上カバー３７の吸込室１９側の面には、上カバー３７を閉じたとき、即ち上カバー３７で吸込室１９の上端開口１９ｂを閉成したとき、図９の如くピン３６の頭部３６ａに当接してコイルスプリング３５を圧縮させる軸状（ピン状）の押圧突起４０が突設されている。また、上カバー３７の両側部には、上カバー３７を閉じたとき、回転清掃体２０の支持板２４，２５を押さえ付ける突起３７ｂ，３７ｃが一体に設けられている。
【００２８】
また、下ケース１２の対向壁１２ｂ２の内面には、図１０に示したように支持軸４１が突設されていると共に、支持軸４１の後方に位置させて上方に開口する収納凹部４２が形成されている。この収納凹部４２内には、コイルスプリング４３がペダル付勢手段として配設されている。このコイルスプリング４３の上端部にはピン４３ａの頭部４３ｂが当接している。
【００２９】
更に、上カバー３７の後縁部と吸込口本体１１との間には、図１０に示したように上カバー３７を吸込口本体１１に係止させる係止手段４４が介装されている。この係止手段４４は、上カバー３７の後縁部に突設された係止突起４５と、下端部が支持軸４１に回動自在に保持された係止レバー４６を有する。
【００３０】
この係止レバー４６は、上端部の前側の部分に係止突起４５に係合して、上カバー３７を係止させる係止爪部４６ａを有する。また、係止レバー４６にはピン４３ａの頭部４３ｂを介してコイルスプリング４３を圧縮している押圧突起４６ｂが一体に形成されている。また、係止レバー４６の上端部の前側の部分には傾斜ガイド４６ｃが形成されている。しかも、係止レバー４６の上端部の後縁部には、後方に延びるアーム４７ａを介してペダル４７が係止解除手段として一体に設けられている。
【００３１】
これにより、ペダル４７は支持軸４１の軸線よりも後方に位置し、ペダル４７をコイルスプリング４３のバネ力に抗して踏むことにより、係止レバー４６の上端部が支持軸４７を中心に後方に回動することができる。
【００３２】
また、上述した電動送風機５及び駆動モータ２６は図示を省略した演算制御回路（制御手段）で駆動制御されるようになっている。
【００３３】
次に、このような構成の電気掃除機の作用を説明する。
（１）通常の清掃面Ｓの清掃
手元操作パイプ８に設けた「弱／中」吸込風量切り替え用のスイッチＳ１又は「強」吸込風量用のスイッチＳ２をオン操作すると、図示しない演算制御回路が電動送風機５を作動させ、電動送風機５の吸込負圧を集塵室３に作用させる。
【００３４】
この集塵室３に作用する吸込負圧は、図１の状態で紙パックフィルタ４，集塵ホース７，手元操作パイプ８，延長管９，接続パイプ３３を介して吸込口本体１１の吸込室１９に作用する。
【００３５】
一方、図示しない演算制御回路は、スイッチＳ１，Ｓ２のＯＮ操作により駆動モータ２６を作動制御して、駆動モータ２６の回転をタイミングギヤ２７，２３及びタイミングベルト２８を介して回転清掃体２０に伝達させ、回転清掃体２０を回転させる。これにより、回転清掃体２０は、回転しながら清掃面の塵埃を後方に掻き上げさせる。
【００３６】
そして、吸込室１９に作用する吸込負圧は、清掃面の塵埃の一部を直接空気（エア）と共に吸込室１９内に吸い込む一方、回転清掃体２０で掻き上げられた清掃面の塵埃を空気と共に吸込室１９内に吸い込むことになる。そして、吸込室１９内に吸い込まれた塵埃を含む空気は、接続パイプ３３，延長管９，手元操作パイプ８及び集塵ホース７を介して紙パックフィルタ４内に吸い込まれて、紙パックフィルタ４を透過する。
【００３７】
この際、エアと共に吸い込まれる塵埃が紙パックフィルタ４に捕捉され、紙パックフィルタ４を透過する空気が清浄される。この清浄された空気は、電動送風機５に吸い込まれて内部を冷却した後、最終的に外部に排気される。
【００３８】
従って、吸込口体１０の吸込口本体１１を清掃面に沿って前進移動させることにより、通常の状態での清掃を行うことができる。
（２）回転清掃体１８のメンテナンス
また、このような清掃作業に伴い、回転清掃体２０に糸くずや髪の毛等の塵埃が巻き付いたりして、回転清掃体２０による塵埃掻き上げ効率が低下することがある。
【００３９】
この場合には、「切り」用のスイッチＳ３を押して電動送風機５及び駆動モータ２６を停止させた後に、ペダル４７をコイルスプリング４３のバネ力に抗して踏む。これにより、係止レバー４６の上端部が支持軸４１を中心に後方に回動して、係止レバー４６の係止爪部４６ａが上カバー３７の係止突起４５上から後方に移動して、上カバー３７の係止が解除される。
【００４０】
この係止の解除により、押圧突起４０がコイルスプリング３６のバネ力により上方に押し上げられて、押圧突起４０と一体の上カバー３７の後縁部がヒンジ３８，３８を中心に上方に回動して若干浮き上がり、上カバー３７を開きやすい状態とする。この際、固定筒３０がコイルスプリング３１のバネ力で上方に押し上げられ、固定筒３０，回転管３２，接続パイプ３３等が一体的に取り外し容易な状態となる。
【００４１】
従って、電気掃除機の利用者は上カバー３７を開いて、回転清掃体２０を上方に持ち上げることにより、回転清掃体２０に保持させた支持板２４，２５が係合溝１６ａ，１７ａから上方に抜き取られて、回転清掃体２０を吸込口本体１１の下ケース１２から取り外すことができる。
【００４２】
そして、回転清掃体２０に巻き付いた糸くずや髪の毛等の塵埃を除去した後、タイミングベルト２８をタイミングギヤ２３に掛け渡して、回転清掃体２０に保持させた支持板２４，２５を係合溝１６ａ，１７ａに上方から係合させることにより、回転清掃体２０が所定位置に配置される。
【００４３】
一方、ペダル４７を踏むことにより上カバー３７の後縁部が若干浮き上がると、固定筒３０がコイルスプリング３１のバネ力で若干浮き上がるので、固定筒３０及び回転管３２等を容易に取り外しやすい状態となる。従って、固定筒３０の吸込風路３０ａが汚れたり、吸込風路３０ａに紙くず等が詰まったりした場合には、固定筒３０を回転管３２及び接続パイプ３３と一体に取り外して、吸込風路３０ａの清掃又は紙くず等の除去を行う。
【００４４】
このように回転清掃体２０と固定筒３０（回転管３２，接続パイプ３３）の全部を本体ケース２から容易に分解可能となっているので、清掃が容易である。
【００４５】
そして、このような清掃後、固定筒３０の前端部を切欠１５ａに係合させると共に、固定筒３０の中間部を支持リブ１１ｂに支持させる。この際、固定筒３０の係合突部３０ｂを下ケース１２の係止片２９ａ，２９ｂ間に係合させる。
【００４６】
次に、上カバー３７をヒンジ３８，３８を中心に吸込室１９上に回動させて、上カバー３７で吸込室１９を覆うことにより、上カバー３７の押圧突起４０がコイルスプリング３５のバネ力に抗してピン３６の頭部３６ａを押圧する。この際、上カバー３７の係止突起４５は、係止レバー４６の傾斜ガイド部４６ｃに当接した後、係止レバー４６をコイルスプリング４３のバネ力に抗して支持軸４１を中心に後方に回動させる。そして、係止突起４５が傾斜ガイド部４６ｃから係止爪部４６ａの下方に移動すると、係止レバー４６がコイルスプリング４３のバネ力により前側に回動して、係止爪部４６ａが係止突起４５上に係合し、上カバー３７を吸込口本体１１に係止させる。これにより、固定筒３０も上カバー３７で押さえ付けられて、固定される。
【００４７】
以上説明した実施例では、ペダル４７に連動する係止レバー４６を一箇所に設けた例を示したが、必ずしもこれに限定されるものではない。例えば、一つのペダル４７に連動する係止レバー４６を吸込口体１０の左右方向に複数設けることもできる。この場合、左右に延びる回動軸を下ケース１２に軸線回りに回動可能に保持させ、この回動軸に複数の係止レバー及びペダル４７を固定することで、複数の係止レバーをペダル４７に連動させることができる。
【００４８】
以上説明したように、この発明の実施の形態の吸込口体１０は、上端及び下端に上端開口１９ａ及び吸込開口１９ｂをそれぞれ有する吸込室１９が形成された吸込口本体１１と、前記吸込室１９の上端開口１９ａを開閉可能に前記吸込口本体１１に係止手段４４により係止された上カバー３７と、前記吸込口本体１１に設けられ且つ前記吸込室１９に連通する接続パイプ３３を備えている。しかも、押すことにより前記係止手段４４を操作して前記上カバー３７の前記吸込口本体１１への係止を解除する係止解除手段（ペダル４７）が前記上カバー３７又は前記吸込口本体１１に設けられていると共に、係止が解除されたときに前記上カバー３７を浮き上がらせるカバー付勢手段（コイルスプリング３５）が設けられている。
【００４９】
この構成によれば、係止解除手段（ペダル４７）を押して前記係止手段４４を操作することにより、係止手段４４による前記上カバー３７の前記吸込口本体１１への係止を解除すると、上カバー３７がカバー付勢手段（コイルスプリング３５）により浮き上がらせられるので、上カバー３７の吸込口本体への係止を確実に解除できる。
【００５０】
また、この発明の実施の形態の吸込口体において、前記吸込口本体１１に上方及び前記吸込室１９に開放する取付凹部１１ａが形成され、前記取付凹部１１ａに回転管取付筒（固定筒３０）が上方に取外可能且つ前記上カバー３７で上方から押さえ付け可能に嵌合され、前記回転管取付筒（固定筒３０）に回転管３２を介して前記接続パイプ３３が回動可能に取り付けられていると共に、前記上カバー３７の前記吸込口本体１１への係止が解除されたときに前記回転管取付筒（固定筒３０）を浮き上がらせる取付筒付勢手段（コイルスプリング３１）が設けられている。
【００５１】
この構成によれば、係止解除手段（ペダル４７）を押して前記係止手段４４を操作することにより、係止手段４４による前記上カバー３７の前記吸込口本体１１への係止を解除すると、上カバー３７がカバー付勢手段（コイルスプリング３５）により浮き上がらせられると同時に、回転管取付筒（固定筒３０）が取付筒付勢手段（コイルスプリング３１）により浮き上がらせられるので、上カバー３７の吸込口本体への係止を確実に解除できると共に、回転管取付筒（固定筒３０）を容易に取り外すことができる。これにより、回転管取付筒（固定筒３０）の清掃を容易に行うことができる。また、回転管取付筒（固定筒３０）の吸込口本体１１へ組付ける場合には、単に回転管取付筒（固定筒３０）を取付凹部１１ａに配設して上カバー３７で押さえ付けるのみでよいので、回転管取付筒（固定筒３０）の吸込口本体１１への組付も容易である。
【００５２】
更に、この発明の実施の形態の吸込口体において、前記吸込開口１９ｂに沿う回転清掃体２０が前記吸込室１９に配設され、前記回転清掃体２０の長手方向両端部が前記吸込口本体１１と上カバー３７との間で回転自在に保持されている。
【００５３】
この構成によれば、係止解除手段（ペダル４７）を押して前記係止手段４４を操作することにより、係止手段４４による前記上カバー３７の前記吸込口本体１１への係止を解除すると、上カバー３７と吸込口本体とによる回転清掃体２０の保持が解除される。そして、上カバー３７を開くことにより、回転清掃体２０を吸込口本体１１から容易に取り外して、回転清掃体２０に巻き付いた糸くずや髪の毛等の塵埃を容易に除去できる。また、回転清掃体２０の両端部を吸込口本体と上カバーとの間で押さえ付けるように組み付ければ良いので、回転清掃体２０の吸込口本体１１への組付も容易である。
【００５４】
また、この発明の実施の形態の吸込口体において、前記係止解除手段は前記吸込口本体１１に取り付けられたペダル４７である。この構成によれば、ペダル４７を踏むだけで、上カバー３７の吸込口本体１１への係止を解除できるので、上カバー３７を開く操作を容易且つ迅速に行うことができる。
【００５５】
また、上述した吸込口体１０を備えている電気掃除機は、上述した吸込口体１０の作用・効果を有する。
【００５６】
尚、以上説明した実施例では、この発明に係る吸込口体１０をキャニスタータイプの電気掃除機に用いた例を示したが、必ずしもこれに限定されるものではない。たとえば、この発明に係る吸込口体１０をアップライト式の電気掃除機に用いることもできる。
【図面の簡単な説明】
【００５７】
【図１】この発明に係る電気掃除機の概略斜視図である。
【図２】図１の吸込口体を別の角度から見た拡大斜視図である。
【図３】図２の吸込口体の前壁を部分的に破断すると共に上カバーを除いた状態の部分分解斜視図である。
【図４】図３の回転清掃体を吸込口本体に組み付けた状態の斜視図である。
【図５】図３，図４の回転清掃体を除いた状態で吸込口体を後方から見た分解斜視図である。
【図６】図２の接続パイプ等を省略して吸込口体を正面から見た説明図である。
【図７】図７の上カバーを開いた状態の平面図である。
【図８】図５の固定筒とコイルスプリングとの関係を示す概略説明図である。
【図９】カバー付勢手段の説明図である。
【図１０】カバーを吸込口本体に係止させる係止手段の説明図である。
【符号の説明】
【００５８】
１０…吸込口体
１１…吸込口本体
１１ａ…取付凹部
１９…吸込室
１９ａ…上端開口
１９ｂ…吸込開口
３０…固定筒（回転管取付筒）
３１…コイルスプリング（取付筒付勢手段）
３２…回転管
３３…接続パイプ
３５…コイルスプリング（カバー付勢手段）
３７…上カバー
４４…係止手段
４７…ペダル（係止解除手段）
【図１】
2007068835.tif 000003
【図２】
2007068835.tif 000004
【図３】
2007068835.tif 000005
【図４】
2007068835.tif 000006
【図５】
2007068835.tif 000007
【図６】
2007068835.tif 000008
【図７】
2007068835.tif 000009
【図８】
2007068835.tif 000010
【図９】
2007068835.tif 000011
【図１０】
2007068835.tif 000012